(57)【要約】【課題】廃棄物が排出事業所から搬出され、最終処分場で処分されるまでの工程を正確に追跡管理できるとともに、その途上の状況を確認可能であり、電子マニフェスト登録にも対応した廃棄物管理システムを提供する。【解決手段】排出事業所から中間処理施設を経て最終処分場へと運搬および処理される廃棄物に関するデータ管理を行うサーバが、廃棄物が排出事業所から搬出されたことを通知する搬出完了通知を受信することに応じて、廃棄物に対し固有の一次トラッキングＩＤを割り当てその関連情報と共に保存する手段と、中間処理施設における中間処理により廃棄物から１または複数の二次生成物が発生した場合に中間処理の完了通知を受信することに応じて、１または複数の二次生成物の各々に対しその種別を示す１または複数の二次トラッキングＩＤを割り当て、１または複数の二次トラッキングＩＤを一次トラッキングＩＤと関連付けて保存する手段とを有する。【選択図】図１
2006318468.tif 000002
【特許請求の範囲】
【請求項１】
排出事業所から中間処理施設を経て最終処分場へと運搬および処理される廃棄物に関するデータ管理を行うサーバを有する廃棄物管理システムであって、前記サーバが、
前記廃棄物が排出事業所から搬出されたことを通知する搬出完了通知を受信することに応じて、前記廃棄物に対し固有の一次トラッキングＩＤを割り当てその関連情報と共に保存する手段と、
中間処理施設における中間処理により前記廃棄物から１または複数の二次生成物が発生した場合に前記中間処理の完了通知を受信することに応じて、前記１または複数の二次生成物の各々に対しその種別を示す１または複数の二次トラッキングＩＤをそれぞれ割り当て、１または複数の前記二次トラッキングＩＤを前記一次トラッキングＩＤと関連付けて保存する手段とを有することを特徴とする廃棄物管理システム。
【請求項２】
前記中間処理により前記廃棄物から複数の二次生成物が発生する場合に個々の二次生成物の生成割合を示す係数が予め設定されており、前記二次生成物全体の発生量に対し前記係数を適用することにより、個々の前記二次生成物の発生量を算出する算出手段と、算出された個々の前記二次生成物の発生量をそれぞれの前記一次および二次トラッキングＩＤと関連付けて保存する手段をさらに有することを特徴とする請求項１に記載の廃棄物管理システム。
【請求項３】
前記廃棄物の排出事業所からの搬出状況、前記廃棄物の排出事業所から中間処理施設への運搬状況、前記廃棄物の中間処理施設への搬入状況、前記廃棄物の中間処理施設における中間処理状況、前記二次生成物の中間処理施設からの搬出状況、前記二次生成物の中間処理施設から最終処分場への運搬状況、前記二次生成物の最終処分場への搬入状況、および前記二次生成物の最終処分場における最終処分状況を撮影した映像データをそれぞれ受信し、その受信した時点で割り当てられている前記一次および二次トラッキングＩＤと関連付けて各映像データを保存する手段をさらに有することを特徴とする請求項１または２に記載の廃棄物管理システム。
【請求項４】
前記廃棄物の排出事業所からの搬出時、前記廃棄物の中間処理施設への搬入時、前記二次生成物の中間処理施設からの搬出状況、および前記二次生成物の最終処分場への搬入時における重量計測データを受信し、その受信した時点で割り当てられている前記一次および二次トラッキングＩＤと関連付けて各重量計測データを保存する手段をさらに有することを特徴とする請求項１〜３のいずれかに記載の廃棄物管理システム。
【請求項５】
前記サーバが、電子マニフェスト管理センターサーバとの間で前記廃棄物に関する情報を送受信する電子マニフェスト連動手段をさらに有し、
前記電子マニフェスト連動手段が、前記廃棄物の排出事業所からの搬出完了通知を受信することに応じて、電子マニフェスト管理センターサーバに対し一次電子マニフェスト登録情報を送信し、かつ、前記電子マニフェスト管理センターサーバから一次電子マニフェスト番号を受信し、この一次マニフェスト番号を前記一次トラッキングＩＤと関連付けて保存することを特徴とする請求項１に記載の廃棄物管理システム。
【請求項６】
前記サーバが、前記廃棄物の中間処理施設端末への搬入完了通知を受信することに応じて予め設定した中間処理時間の経過を計測するタイマーを始動させる手段をさらに有し、前記電子マニフェスト連動手段が前記タイマーの終了に応じて前記電子マニフェスト管理センターサーバに対し前記一次マニフェスト登録情報に関する中間処理完了通知を送信することを特徴とする請求項５に記載の廃棄物管理システム。
【請求項７】
前記電子マニフェスト連動手段が、前記二次生成物の中間処理施設からの搬出完了通知を受信することに応じて前記電子マニフェスト管理センターサーバに対し二次電子マニフェスト登録情報を送信し、かつ、前記電子マニフェスト管理センターサーバから二次電子マニフェスト番号を受信し、この二次マニフェスト番号を前記一次および二次トラッキングＩＤと関連付けて保存することを特徴とする請求項５または６に記載の廃棄物管理システム。
【請求項８】
前記電子マニフェスト連動手段が、最終処分場における最終処分の完了通知を受信することに応じて前記電子マニフェスト管理センターサーバに対し前記一次および二次の電子マニフェスト登録情報に関する最終処分完了通知を送信することを特徴とする請求項５〜７のいずれかに記載の廃棄物管理システム。
【請求項９】
前記サーバが、前記排出事業所から前記中間処理施設まで前記廃棄物を運搬する車両の運行経路および運行速度の記録データ、および前記中間処理施設から前記最終処分場まで前記二次生成物を運搬する車両の運行経路および運行速度の記録データを受信し、その受信した時点で割り当てられている前記一次および二次トラッキングＩＤと関連付けて前記車両の運行経路および運行速度の記録データを保存する手段をさらに有することを特徴とする請求項１〜８のいずれか記載の廃棄物管理システム。
【請求項１０】
前記サーバが、ネットワークアクセスに応じて、その時点で割り当てられている前記一次および二次トラッキングＩＤに関連付けられた各データを閲覧可能とするウェブページを作成し送信することを特徴とする請求項１〜９のいずれかに記載の廃棄物管理システム。
【発明の詳細な説明】
【技術分野】
【０００１】
本発明は、廃棄物が排出事業者から排出され、中間処理施設での中間処理を経て、最終処分場にて最終処分される過程を管理するための廃棄物管理システムに関する。
【背景技術】
【０００２】
廃棄物処理法では、最終処分場にて埋め立てされた廃棄物（産業廃棄物）にも排出事業者の管理責任が問われる。排出事業者は、廃棄物の処理を委託する際にその廃棄物の性状を委託業者に正しく伝え、適正な処理が行われたことを確認する義務があり、その情報伝達を媒介するしくみとして産業廃棄物管理表（マニフェスト）が用いられている。従来は、書面マニフェストが一般的に用いられており、廃棄物の種類、数量、荷姿、取扱い上の注意事項、運搬業者名、処理業者名、最終処分の場所等を排出事業者が記入し、廃棄物の搬出時に運搬業者に引き渡す。書面マニフェストは複数枚綴りになっており、その後、中間処理施設への搬入時、中間処理終了時、最終処分終了時等の折々に、各工程の完了を示す承認済みの書面が排出事業者に返送されるようになっている。
【０００３】
特許文献１には、廃棄物の収集から最終処分に至る工程において、各処理工程毎の廃棄物を撮像手段により撮影し、得られた画像データを画像転送手段によりデータ管理部に転送し、さらに、データ管理部にアクセスすることにより廃棄物の処理状況を画像データにより追跡管理するシステムが開示されている。
【０００４】
また、最近では、書面マニフェストに替わり電子マニフェストも導入されている。電子マニフェストは、管理センターサーバと排出事業者、運搬業者、処理業者の各々の保有する端末とをネットワークで接続し、書面マニフェストと同じ情報を電子データにより伝送するものである。電子マニフェストは、書面マニフェストに比べて登録手続が迅速かつ容易であり、電子データ化により廃棄物の処理状況を即時に確認することが可能であり、またマニフェスト伝票の保存が不要である等の利点がある。
【特許文献１】特許第３３６１８０２号公報
【発明の開示】
【発明が解決しようとする課題】
【０００５】
廃棄物処理工程は、上記のようにマニフェストにより管理されているが、書面マニフェストの場合、改ざん等の不正が可能あり不法な廃棄物処理が行われるおそれが大きい。また、書面マニフェストおよび電子マニフェストのいずれの場合も廃棄物の運搬、処理が行われた実際の状況を確認することはできない。
【０００６】
また、特許文献１では、廃棄物の運搬、処理の状況を画像データ特に動画像データとして取得し、これを閲覧することにより廃棄物の実際の状況を確認することはできる。しかしながら、実際の廃棄物の多くは、焼却や破砕等を行う中間処理において異なる複数の排出事業所からきた廃棄物が混合され、分別されて各種別毎に処理されることとなる。この中間処理により複数の二次生成物が発生した場合、たとえ処理状況を動画像データにより記録していたとしても、異なる排出事業所からきた個々の廃棄物がそれぞれどの程度、各二次生成物に含まれているかを把握することはできない。さらに、複数の二次生成物の各々がそれぞれ別の経路で別の最終処分場へ運搬されていく場合には、もはや個々の廃棄物を適切に追跡することは、マニフェストのデータと詳細に突き合わせなければ困難であり、非常に煩雑な作業が必要となる。
【０００７】
このように廃棄物の処理過程においては、当初は個別に識別可能であった廃棄物が分別され、混合され、性状が変化または分離したりすることにより、幾重にも分岐されて次第に識別困難となっていくという本質的な特性がある。従って、このような特性を踏まえた上で、廃棄物処理工程の適切な管理を行うことができるシステムが要望されている。
【０００８】
さらに、電子マニフェストは上記のように書面マニフェストに比べて利点はあるが、データ入力作業は各々の排出事業所や中間処理施設に委ねられるため、実際に正確かつ迅速なデータ伝送が行われることは保証できない。また、書面に比べて負担が少ないとはいえ、排出事業所等にとって煩雑な手続であることは否めない。
【０００９】
以上の状況に鑑み、本発明は、個々の廃棄物が排出事業所から搬出され、最終処分場で処分されるまでの工程を正確に追跡管理できるとともに、その途上の状況を確認可能であり、電子マニフェスト登録にも対応した廃棄物管理システムを提供することを目的とする。
【課題を解決するための手段】
【００１０】
上記の目的を達成する本発明の構成は次の通りである。
（１）請求項１に係る廃棄物管理システムは、排出事業所から中間処理施設を経て最終処分場へと運搬および処理される廃棄物に関するデータ管理を行うサーバを有する廃棄物管理システムであって、前記サーバが、前記廃棄物が排出事業所から搬出されたことを通知する搬出完了通知を受信することに応じて、前記廃棄物に対し固有の一次トラッキングＩＤを割り当てその関連情報と共に保存する手段と、
中間処理施設における中間処理により前記廃棄物から１または複数の二次生成物が発生した場合に前記中間処理の完了通知を受信することに応じて、前記１または複数の二次生成物の各々に対しその種別を示す１または複数の二次トラッキングＩＤをそれぞれ割り当て、１または複数の前記二次トラッキングＩＤを前記一次トラッキングＩＤと関連付けて保存する手段とを有する。
（２）請求項２に係る廃棄物管理システムは、請求項１において、前記中間処理により前記廃棄物から複数の二次生成物が発生する場合に個々の二次生成物の生成割合を示す係数が予め設定されており、前記二次生成物全体の発生量に対し前記係数を適用することにより、個々の前記二次生成物の発生量を算出する算出手段と、算出された個々の前記二次生成物の発生量をそれぞれの前記一次および二次トラッキングＩＤと関連付けて保存する手段とを有する。
（３）請求項３に係る廃棄物管理システムは、請求項１または２において、前記廃棄物の排出事業所からの搬出状況、前記廃棄物の排出事業所から中間処理施設への運搬状況、前記廃棄物の中間処理施設への搬入状況、前記廃棄物の中間処理施設における中間処理状況、前記二次生成物の中間処理施設からの搬出状況、前記二次生成物の中間処理施設から最終処分場への運搬状況、前記二次生成物の最終処分場への搬入状況、および前記二次生成物の最終処分場における最終処分状況を撮影した映像データをそれぞれ受信し、その受信した時点で割り当てられている前記一次および二次トラッキングＩＤと関連付けて各映像データを保存する手段をさらに有する。
（４）請求項４に係る廃棄物管理システムは、請求項１〜３のいずれかにおいて、前記廃棄物の排出事業所からの搬出時、前記廃棄物の中間処理施設への搬入時、前記二次生成物の中間処理施設からの搬出状況、および前記二次生成物の最終処分場への搬入時における重量計測データを受信し、その受信した時点で割り当てられている前記一次および二次トラッキングＩＤと関連付けて各重量計測データを保存する手段をさらに有する。
（５）請求項５に係る廃棄物管理システムは、請求項１において、前記サーバが、電子マニフェスト管理センターサーバとの間で前記廃棄物に関する情報を送受信する電子マニフェスト連動手段をさらに有し、
前記電子マニフェスト連動手段が、前記廃棄物の排出事業所からの搬出完了通知を受信することに応じて、電子マニフェスト管理センターサーバに対し一次電子マニフェスト登録情報を送信し、かつ、前記電子マニフェスト管理センターサーバから一次電子マニフェスト番号を受信し、この一次マニフェスト番号を前記一次トラッキングＩＤと関連付けて保存する。
（６）請求項６に係る廃棄物管理システムは、請求項５において、前記サーバが、前記廃棄物の中間処理施設端末への搬入完了通知を受信することに応じて予め設定した中間処理時間の経過を計測するタイマーを始動させる手段をさらに有し、前記電子マニフェスト連動手段が前記タイマーの終了に応じて前記電子マニフェスト管理センターサーバに対し前記一次マニフェスト登録情報に関する中間処理完了通知を送信する。
（７）請求項７に係る廃棄物管理システムは、請求項５または６において、前記電子マニフェスト連動手段が、前記二次生成物の中間処理施設からの搬出完了通知を受信することに応じて前記電子マニフェスト管理センターサーバに対し二次電子マニフェスト登録情報を送信し、かつ、前記電子マニフェスト管理センターサーバから二次電子マニフェスト番号を受信し、この二次マニフェスト番号を前記一次および二次トラッキングＩＤと関連付けて保存する。
（８）請求項８に係る廃棄物管理システムは、請求項５〜７のいずれかにおいて、前記電子マニフェスト連動手段が、最終処分場における最終処分の完了通知を受信することに応じて前記電子マニフェスト管理センターサーバに対し前記一次および二次の電子マニフェスト登録情報に関する最終処分完了通知を送信する。
（９）請求項９に係る廃棄物管理システムは、請求項１〜８のいずれかにおいて、前記サーバが、前記排出事業所から前記中間処理施設まで前記廃棄物を運搬する車両の運行経路および運行速度の記録データ、および前記中間処理施設から前記最終処分場まで前記二次生成物を運搬する車両の運行経路および運行速度の記録データを受信し、その受信した時点で割り当てられている前記一次および二次トラッキングＩＤと関連付けて前記車両の運行経路および運行速度の記録データを保存する手段をさらに有する。
（１０）請求項１０に係る廃棄物管理システムは、請求項１〜９のいずれかにおいて、前記サーバが、ネットワークアクセスに応じて、その時点で割り当てられている前記一次および二次トラッキングＩＤに関連付けられた各データを閲覧可能とするウェブページを作成し送信する。
【発明の効果】
【００１１】
（Ａ）本発明の廃棄物管理システムにおけるサーバは、廃棄物が排出事業所からの搬出された時点でその廃棄物に対し固有の一次トラッキングＩＤを割り当てる。さらに、中間処理においてその廃棄物から１または複数の二次生成物が発生した場合には、個々の二次生成物に対しその種別を示す１または複数の二次トラッキングＩＤを割り当て、一次トラッキングＩＤと関連付けて保存する。この一次トラッキングＩＤと二次トラッキングＩＤを連結したＩＤは、各二次生成物に固有のＩＤとなり、個々の二次生成物を識別することができる。なお、本システムは、このような中間処理が１回のみ行われる場合に限られず、複数回行われる場合も含む。つまり本明細書では「二次」トラッキングＩＤと称しているが、中間処理の回数によっては「三次」、さらに「四次」トラッキングＩＤを割り当てる場合も含まれるものとする。また、その場合は、「三次生成物」、「四次生成物」と称するべきであるが、本明細書では全て「二次生成物」とまとめて称することとする。またさらに、「中間処理」には、廃棄物の内容物自体の形態や性状が変化しない単なる分別等の場合も含まれるものとする。例えば、単なる分別の場合には、「二次生成物」といっても処理前の内容物と比べて形態や性状には変化がないが、本システムではそのような場合も「二次生成物」と称することとする。
【００１２】
このように本システムにおいては、中間処理において当初の廃棄物が分離、混合、変化等した場合には、新たに別のトラッキングＩＤを割り当て、その処理以前に付与されている既存のトラッキングＩＤ（１または複数の場合がある）と関連付けて保存する。こうして複数のトラッキングＩＤを次々に連結して形成されるＩＤは、いずれもその時点での二次生成物に固有のものとなる。これにより、廃棄物がその処理過程において分岐して別々の処理工程へ振り分けられていく場合にも、当初の排出事業所からの移動経路を確実に追跡管理することが可能となる。
【００１３】
（Ｂ）さらに本システムにおいては、中間処理により廃棄物から複数の二次生成物が発生する場合に各二次生成物の生成比率を示す係数が予め設定されており、二次生成物全体の発生量に対しこの係数を適用することにより、個々の二次生成物の発生量を算出することができる。これを二次トラッキングＩＤと関連付けて保存することにより、廃棄物がその処理過程において分岐して別々の処理工程へ振り分けられていく場合にも、当初の排出事業所からの排出量との比較できる量的な追跡管理が可能となる。
【００１４】
（Ｃ）さらに本システムにおいては、廃棄物の排出事業所からの搬出状況、廃棄物の排出事業所から中間処理施設への運搬状況、廃棄物の中間処理施設への搬入状況、廃棄物の中間処理施設における中間処理状況、二次生成物の中間処理施設からの搬出状況、二次生成物の中間処理施設から最終処分場への運搬状況、二次生成物の最終処分場への搬入状況、および二次生成物の最終処分場における最終処分状況を撮影した映像データを、一次トラッキングＩＤまたは二次トラッキングＩＤと関連付けて保存する。これにより、適正な搬出、運搬、搬入および処理が行われているかを監視できるとともに、不正の防止効果もある。
【００１５】
（Ｄ）さらに本システムにおいては、廃棄物の排出事業所からの搬出時、廃棄物の中間処理施設への搬入時、二次生成物の中間処理施設からの搬出状況、および二次生成物の最終処分場への搬入時における重量計測データを、一次トラッキングＩＤまたは二次トラッキングＩＤと関連付けて保存する。これにより、廃棄物の量的な追跡管理が可能となる。
【００１６】
（Ｅ）さらに本システムにおいては、サーバが、電子マニフェスト管理センターサーバとの間で廃棄物情報を送受信する電子マニフェスト連動手段をさらに有し、廃棄物の排出事業所からの搬出完了通知を受信することに応じて、電子マニフェスト管理センターサーバに対し一次電子マニフェスト登録情報を送信し、電子マニフェスト管理センターサーバから一次電子マニフェスト番号を受信し、この一次マニフェスト番号を一次トラッキングＩＤと関連付けて保存する。これにより、排出事業者に替わり電子マニフェスト手続の代行をすることができ、運搬業者の負担を軽減できる。
【００１７】
（Ｆ）さらに本システムにおいては、サーバが、廃棄物の中間処理施設端末への搬入完了通知を受信することに応じて予め設定した中間処理時間の経過を計測するタイマーを始動させ、そして電子マニフェスト連動手段がタイマーの終了に応じて電子マニフェスト管理センターサーバに対し一次マニフェスト登録情報に関する中間処理完了通知を送信する。これにより、中間処理業者に替わり電子マニフェスト手続の代行をすることができ、中間処理業者の負担を軽減できる。
【００１８】
（Ｇ）さらに本システムにおいては、電子マニフェスト連動手段が、二次生成物の中間処理施設からの搬出完了通知を受信することに応じて電子マニフェスト管理センターサーバに対し二次電子マニフェスト登録情報を送信し、電子マニフェスト管理センターサーバから二次電子マニフェスト番号を受信し、この二次マニフェスト番号を二次トラッキングＩＤと関連付けて保存する。これにより、中間処理業者に替わり電子マニフェスト手続の代行をすることができ、中間処理業者の負担を軽減できる。
【００１９】
（Ｈ）さらに本システムにおいては、電子マニフェスト連動手段が、最終処分場における最終処分の完了通知を受信することに応じて電子マニフェスト管理センターサーバに対し一次および二次の電子マニフェスト登録情報に関する最終処分完了通知を送信する。これにより、最終処分業者に替わり電子マニフェスト手続の代行をすることができ、最終処分業者の負担を軽減できる。
【００２０】
（Ｉ）さらに本システムにおいては、サーバが、排出事業所から中間処理施設まで前記廃棄物を運搬する車両の運行経路および運行速度の記録データ、および中間処理施設から最終処分場まで二次生成物を運搬する車両の運行経路および運行速度の記録データを受信し、一次トラッキングＩＤまたは二次トラッキングＩＤと関連付けて車両の運行経路および運行速度の記録データを保存する。これにより、適正な運搬が行われていることを監視できるとともに、不正の防止効果もある。
【００２１】
（Ｊ）さらに本システムにおいては、サーバが、ネットワークアクセスに応じて、一次および／または二次トラッキングＩＤに関連付けられた各データを閲覧可能とするウェブページを作成し送信する。これにより、排出事業者、中間処理業者、最終処分業者のいずれもが廃棄物の処理工程を閲覧し、確認することができる。
【発明を実施するための最良の形態】
【００２２】
以下、一実施例を示した図面を参照しつつ本発明による廃棄物管理システムの実施形態を説明する。
図１は、本発明による廃棄物管理システムの概略構成図である。システムの主幹となる廃棄物管理サーバ１は、適宜のコンピュータにより実施可能であり、本システムに含まれる各機能を実現するプログラムを導入することにより実現される。図１では、廃棄物管理サーバ１の実現する主要な機能を各処理部として示している。
【００２３】
廃棄物の処理工程の概略は次の通りである。排出事業者が廃棄物を排出する。運搬業者が排出事業者の事業所から廃棄物を搬出し、中間処理業者の中間処理施設へ搬入し、中間処理が行われる。
中間処理では、通常、他の排出事業所から収集された廃棄物とともに種類別に分別され、それぞれの種類毎に適切な中間処理が行われる。典型的な処理としては、例えば、焼却や破砕等がある。種類によっては、分別後そのまま最終処分業者またはリサイクル業者へ搬送される場合もある。本明細書では、廃棄物の分別も中間処理の一つに含めることとする。廃棄物を中間処理することにより二次生成物が生成される。二次生成物は一種とは限らず複数生成される場合もある。また、本システムに関しては、分別も中間処理の一つに含めることとするため、廃棄物の内容物の形態や性状が変化しない場合も、二次生成物の一つと見なすこととする。
中間処理後、二次生成物は中間処理施設から搬出され、最終処分業者の最終処分場へ搬入され、最終処分が行われる。典型的な最終処分としては、埋め立てがある。あるいは、二次生成物は中間処理施設からリサイクル業者へ納品される。
【００２４】
マニフェスト制度における電子マニフェスト手続きでは、排出事業所から廃棄物が運搬業者により中間処理施設まで運搬され、中間処理施設で中間処理が完了する工程に関して一次マニフェスト登録が必要であり、それに対して一次マニフェスト番号が付与される。さらに、中間処理施設から二次生成物が運搬業者により最終処分場まで運搬され、最終処分場で最終処分が完了する工程に関して二次マニフェスト登録が必要であり、それに対して二次マニフェスト番号が付与される。
【００２５】
図１を参照すると、廃棄物管理サーバ１は、インターネットを好適とするネットワークを介して本システムに関連する各端末装置と接続されている。各端末装置は、廃棄物処理工程に関与する各メンバーにより使用される。例えば、運搬業者の管轄する運搬車両基地には運搬車両基地端末２０が配置され、排出事業者の管轄する排出事業所には排出事業所端末３０が配置され、中間処理業者の管轄する中間処理施設には中間処理施設端末５０が配置され、最終処分業者の管轄する最終処分場には最終処分場端末７０が配置されている。また、必須ではないが、リサイクル物買取業者の管轄するリサイクル物納品先にはリサイクル物納品先端末６０が配置されている。
【００２６】
各端末は、典型的には適宜のコンピュータが好適であり、インターネットへ接続するための通信装置と、ウェブページへアクセスして所望するデータをダウンロードし、各端末に備えられた表示装置に表示させるブラウザソフトウェアとを具備する。各端末は、通信装置により廃棄物管理サーバ１に対して電子データをアップロードすることができる。このアップロードはウェブページへのアクセスにより行うようにしてもよい。その他、各端末はデータ入力のためのキーボード等の入力装置を備えている。
【００２７】
廃棄物処理工程の起点から終点までの主要な拠点である中間処理施設および最終処分場、並びに運搬車両については、廃棄物または二次生成物の取り扱い状況および運搬状況を動画として撮影するためのビデオカメラ等の映像記録装置をそれぞれ備えている。必須ではないが、図示の例のように排出事業所についても同様の目的で映像記録装置を備えることが好適である。この映像記録装置は、撮影した映像の電子データを記憶する記憶装置および／または撮影した映像の電子データを各端末に転送するデータ転送装置を具備する。さらに、排出事業所、中間処理施設および最終処分場は、廃棄物または二次生成物の重量を計測するための重量計測装置を備えている。好適には、車両に積載した状態で計測できるトラックスケール等の計測装置をそれぞれ備えている。
【００２８】
なお、リサイクル物納品先についても映像記録装置および重量計測装置を備えていることが好適である。
【００２９】
廃棄物を運搬する車両は、上記の映像記録装置に加えて、走行中の速度と移動距離を記録するデジタルタコグラフと、ＧＰＳ衛星４１からの信号を受信し走行中の位置を一定時間間隔で記録するＧＰＳ受信装置と、これらの計測値を電子データとして記憶するメモリ等の記憶装置とを含む車両搭載装置４０を搭載している。さらに、車両搭載装置４０には、中間処理施設端末５０、最終処分場端末７０および廃棄物管理サーバ１の各々との間で通信（通話および／またはデータ伝送を含む）を行う通信装置、好適には無線通信装置が含まれる。なお、車両搭載装置４０の記憶装置に記憶された計測値の電子データは、通常は、車両搭載装置４０から運搬車両基地端末２０に一旦転送される。この転送は、記憶装置の備える着脱可能な記憶媒体を介して、またはデータ転送ラインで接続することにより行う。転送された電子データは、運搬車両基地端末２０から廃棄物管理サーバ１へアップロードされる。なお、別の形態として、車両搭載装置４０から直接、廃棄物管理サーバ１にアップロード可能としてもよい。
【００３０】
電子マニフェスト管理センターサーバ８０は、電子マニフェストの登録を受け付け、電子マニフェスト番号を付与し、電子マニフェストの管理に関するデータ処理を担っている。廃棄物管理サーバ１は、インターネットを介して電子マニフェスト管理センターサーバ８０との間で電子マニフェストに関するデータ伝送可能である。
【００３１】
廃棄物管理サーバ１の各機能は、図１に示す主要な処理部の各々により実行される。さらに、廃棄物管理サーバ１は、廃棄物管理データベース１００を構築し適宜の補助記憶装置に記憶し、登録／更新等の制御を行う。廃棄物管理データベース１００は、本システムの処理に関連する種々のデータを格納するための複数のテーブル（後述する）から構成されており、各処理部と連動している。
【００３２】
マスターデータ登録処理部１１は、本システムの基本データの管理機能を具備する。例えば、本システムに関与するメンバーである排出事業所、中間処理施設、最終処分場の関連情報（名称、住所、連絡先、位置情報（緯度・経度）等）をそれぞれ所定のテーブルに登録し、変更・削除等の更新を行う。また、廃棄物に関する基本情報（名称、種別、性状、処理方法等）をそれぞれ所定のテーブルに登録し、変更・削除等の更新を行う。
【００３３】
契約データ登録処理部１２は、排出事業所との間の廃棄物処理委託契約に関するデータの管理機能を具備する。例えば、各契約の件毎の内容情報（契約先排出事業所、廃棄物数量、単価等）並びに搬出計画に関する情報（予定日時、数量、配車等）を所定のテーブルに登録し、変更・削除等の更新を行う。
【００３４】
トラッキングデータ処理部１３は、排出事業所から搬出されてから最終処分またはリサイクル先への納品までの廃棄物の移動状況および処理状況等に関するデータを追跡管理する機能を具備する。一次トラッキングデータ処理部１３ａおよび二次トラッキングデータ処理部１３ｂのみが示されているが、状況に応じて、三次、四次の処理部が設けられる場合もある。一次トラッキングデータ処理部１３ａは、通常、排出事業所から最初の中間処理施設への搬送および中間処理完了までの工程における廃棄物に関するデータを所定のテーブルに保存する。最初の中間処理の完了時点で当初の廃棄物から１または複数の二次生成物が発生する。そして、二次トラッキングデータ処理部１３ｂは、最初の中間処理完了時から第２の処理拠点（同じ施設内の場合もあり得る）への搬送および第２の処理完了までの工程における二次生成物に関するデータを所定のテーブルに格納する。
【００３５】
典型的には、第２の処理拠点は最終処分場であり、第２の処理は最終処分となる。しかしながら、二次生成物に対して最終処分以外の更なる複数の中間処理が行われる場合には、三次トラッキングデータ処理、あるいは四次トラッキングデータ処理も必要となる。これらについては、全て二次トラッキングデータ処理と同様に行われる。従って、これらの三次、四次のトラッキングデータ処理が行われる場合も含めて、二次トラッキングデータ処理と称することとする。
【００３６】
これに関連して、当初の中間処理で発生した二次生成物から、それ以降の更なる中間処理により三次生成物、四次生成物等が発生する場合があるが、これらの三次生成物、四次生成物等についても、データ処理上は二次生成物と同様に取り扱われるため、本発明ではまとめて二次生成物と称することとする。
【００３７】
映像データサーバ１５は、運搬車両基地端末２０、中間処理施設端末５０および最終処分場端末７０（好適には排出事業所端末３０およびリサイクル物納品先端末６０も含む）からアップロードされた映像データを適宜処理し、保存する機能を具備する。
【００３８】
ウェブサーバ１６は、排出事業所端末３０、中間処理施設端末５０および最終処分場端末７０（好適には、運搬車両基地端末２０およびリサイクル物納品先端末６０も含む）からのアクセスに対して、要求されたデータを廃棄物管理データベース１００から抽出し、ウェブページを形成するＨＴＭＬ文書を作成し、各端末へ送信する。これにより、各端末では、所望する廃棄物および／または二次生成物に関するデータをいつでも閲覧することができる。さらに、ウェブサーバ１６は、各端末から入力される登録情報等のデータ、並びにアップロードされる計測値等の電子データを受信し、関連する各処理部へ引き渡す機能を備えている。
【００３９】
電子マニフェスト連動処理部１７は、電子マニフェスト管理センターサーバ８０とネットワーク接続する機能を備えている。主として、トラッキングデータ処理部１３と連係して機能し、電子マニフェスト登録データを電子マニフェスト管理センターサーバ８０へ送信するとともに、それに対して付与された電子マニフェスト番号を受信し、トラッキングデータ処理部１３へ引き渡す。
【００４０】
図２Ａ〜図２Ｃは、廃棄物管理データベース１００に含まれるテーブルの一例を示し、これらのテーブルはそれに含まれる共通の情報項目を介して互いに関連しており、全体として関連データベースを構成している。
【００４１】
図２Ａは、図１に示したマスタデータ登録処理部１１により管理される主要なテーブルの一例を示している。
排出事業所マスタ１０１は、各排出事業所の関連情報を格納するテーブルであり、排出事業所ＩＤ（識別番号）、これを管轄する取引先ＩＤ、排出事業所名、住所、電話番号、緯度、経度、担当者名等を定義または登録する。
【００４２】
施設マスタ１０２は、中間処理施設または最終処分場の関連情報を格納するテーブルであり、施設ＩＤ、名称、住所、電話番号等を定義または登録する。
処理方法マスタ１０３は、廃棄物の中間処理方法の種類を格納するテーブルであり、処理法コード、名称等を定義または登録する。
【００４３】
廃棄物マスタ１０４は、廃棄物の種別情報を格納するテーブルであり、廃棄物の種別により定義された廃棄物種別コード、廃棄物名称、処理法コード、電子マニフェストで定義されたコード、受入単価等が登録されている。
【００４４】
性状係数マスタ１０５は、各施設における廃棄物の中間処理により発生する二次生成物に関連する情報を格納するテーブルであり、施設ＩＤ、廃棄物種別コード、処理法コード、二次生成物コード、生成比率が定義または登録されている。１つの廃棄物の中間処理から発生する二次生成物が複数の場合は、それぞれの二次生成物に対してコードが定義され、経験的に得られたぞれぞれの生成比率（以下、「係数」と称する場合がある）が登録される。
【００４５】
図２Ｂは、図１に示した契約データ登録処理部１２により管理される主要なテーブルの一例を示している。
契約情報データ１２１は、各契約件を格納するテーブルであり、契約件毎に付与された契約情報ＩＤ、排出ＩＤ、取引先ＩＤおよび契約年度が登録されている。例えば、契約は一年単位で行われる。
【００４６】
契約明細データ１２２は、契約件毎の明細情報を格納するテーブルであり、契約情報ＩＤ、廃棄物種別コード、契約数量、契約単価、車種ＩＤ等が登録される。例えば、契約情報ＩＤ「１」には３種の廃棄物が含まれ、そのうち廃棄物種別コードが「１」のものは、契約数量が年間「100000kg」、契約単価が「35000円」、運搬車両は車種ＩＤ「１」に規定されている。
【００４７】
搬出計画データ１２３は、排出事業所から提出された搬出依頼内容に基づいて決定された各搬出計画の内容情報を格納するテーブルであり、搬出計画ＩＤ、搬出希望日時、契約情報ＩＤ、廃棄物種別コード、数量等が含まれる。例えば、搬出計画毎に付与された搬出計画ＩＤ「１」の件では、搬出予定日時が「2006年6月12日13時30分」であり、契約情報ＩＤ「１」の件の廃棄物種別コード「２」の廃棄物を「8765kg」を搬出する予定となっている。この搬出計画データ１２３の情報は、該当する排出事業所に予め通知される。
【００４８】
配車データ１２４は、排出事業所から廃棄物を搬出し中間処理施設に搬入する運搬車両の手配情報を格納するテーブルであり、配車ＩＤ、搬出予定日時、搬入予定日時、契約情報ＩＤ、廃棄物種別コード、予定数量、車両ＩＤ、ドライバーＩＤ、搬入予定施設ＩＤ等が含まれる。この配車データ１２４の情報は、該当する運搬車両基地に予め通知される。
【００４９】
図２Ｃは、図１に示したトラッキングデータ処理部１３により管理される主要なテーブルの一例を示している。
廃棄物トラッキングデータ１３１は、排出事業所から搬出された廃棄物毎に移動状況、処理状況を管理するためにその関連情報を格納するテーブルである。なお、テーブル１３１の情報項目は概略的なものであり、実際に必要な情報項目も一部省略していることを注記する。一次トラッキングＩＤは、排出事業所から廃棄物が搬出完了した時点で当該廃棄物に割り当てられる固有の識別番号である。排出事業所からの搬出完了時点で確定しているデータについては、その時点のデータが格納される。例えば、契約情報ＩＤ、廃棄物種別コード、一次数量、車両ＩＤ、搬出施設ＩＤ、搬出日時分等である。
【００５０】
二次トラッキングＩＤは、中間処理が完了した時点で発生した１または複数の二次生成物の各々の種別を示すＩＤである。例えば、一次トラッキングＩＤ「１」の廃棄物を中間処理して１つの二次生成物が発生し、その二次生成物の種別ＩＤ「５」であるとする。その時点での当該二次生成物の連結ＩＤは「１−５」となる。複数の二次生成物が発生した場合には、当該一次トラッキングＩＤに対する新たな行がテーブルに追加され、複数の二次生成物の各種別を示す複数の二次トラッキングＩＤが格納される。図示しないが、例えば、各二次生成物が連結ＩＤ「１−４」または「１−６」等で識別可能となる。
【００５１】
なお、廃棄物が搬出事業所から搬出された時点で電子マニフェスト連動処理部１７が一次電子マニフェスト登録処理を行い、それに対して付与された一次電子マニフェスト番号がトラッキングデータ処理部１３に引き渡されるが、トラッキングデータ処理部１３は、一次電子マニフェスト番号を一次トラッキングＩＤと関連付けて格納する。
また、中間処理が完了し、二次生成物が中間処理施設から搬出された時点で電子マニフェスト連動処理部１７が二次電子マニフェスト登録処理を行い、それに対して付与された二次電子マニフェスト番号がトラッキングデータ処理部１３に引き渡されるが、トラッキングデータ処理部１３は、二次電子マニフェスト番号を一次トラッキングＩＤおよび二次トラッキングＩＤと関連付けて格納する。
【００５２】
本システムにおいては、中間処理により複数の二次生成物が生じた場合には、各二次生成物に対してその種別を示す二次トラッキングＩＤを割り当て、一次トラッキングＩＤと関連付けてテーブルに格納する。そして、一次トラッキングＩＤと二次トラッキングＩＤとを連結した連結ＩＤは、当該二次生成物に固有のものとなる。さらに、中間処理が完了した時点で確定しているデータについては、その時点でのデータが格納される。例えば、二次数量等である。
【００５３】
二次数量は、各種別の二次生成物の生成量であり、図２Ａに示した性状係数マスタ１０５に登録された生成比率すなわち係数を用いて算出される。二次生成物全体の発生量を計測し、それに対して係数を掛けることにより算出される。
【００５４】
なお、中間処理施設においては、異なる複数の排出事業所からそれぞれ搬入された廃棄物が混合され、廃棄物種別毎に分別され、それぞれに適した中間処理（焼却や破砕等）が行われることが一般的である。このように複数の排出事業所からの廃棄物が混合されて処理された場合、１つの種類の二次生成物の中に、複数の排出事業所を出所とするものが混合されていることになる。この混合割合は、処理前のそれぞれの廃棄物の一次数量と同じ割合とみなすことができる。
【００５５】
例えば、廃棄物トラッキングデータ１３１を参照すると、一次トラッキングＩＤがそれぞれ「１」、「２」、「３」および「４」の廃棄物が混合されて中間処理され、二次トラッキングＩＤ「５」で種別を示される二次生成物が生成されている。中間処理後の二次生成物「５」全体は、連結ＩＤ「１−５」、「２−５」、「３−５」および「４−５」で識別されるべき各二次生成物が混在した状態である。この場合、二次生成物「５」全体の数量は、図２Ａの性状係数マスタ１０５の係数により算出される。さらに個々の二次生成物「１−５」、「２−５」、「３−５」および「４−５」の二次数量は、二次生成物「５」の全体数量に対して各廃棄物の一次数量の割合を掛けることで算出される。
【００５６】
このように、本システムでは、排出事業所から搬出された当初の廃棄物に固有の一次トラッキングＩＤを割り当て、その後、混合および／または分別を含む中間処理が完了した時点で当該中間処理により生成した二次生成物の種別毎に二次トラッキングＩＤを割り当て、一次トラッキングＩＤと関連付ける。中間処理が複数行われる場合は、その都度新たに二次（実際は三次、四次というべき）トラッキングＩＤを割り当て、既存の連結ＩＤに関連付ける。こうして作成された連結ＩＤは、その時点での二次生成物に固有のものとなる。従って、その時点での二次生成物が異なる出所からのものを含む混合物であっても、それらがいずれの出所からどの経路を経て由来したものであるかを識別することができる（もちろん、これは物理的に分離された状態で識別できるという意味ではない）。
【００５７】
このように、連結ＩＤで固有に識別される廃棄物および／または二次生成物に関する情報は、その情報が確定した時点で、またはその情報が各端末からアップロードされることにより得られた時点で廃棄物トラッキングデータ１３１のテーブルの所定のセルに格納される。テーブルのセルが空欄の場合は、その工程が未完了であることを示す。
【００５８】
廃棄物トラッキングデータ１３１のテーブルにおける最終処理フラグは、最終処分が完了した時点でオンとされる。
【００５９】
搬出入位置情報イベントデータ１３２は、図１に示した車両搭載装置４０により計測されたＧＰＳ位置データを格納するテーブルである。図示しないが、デジタルタコグラフによる計測データも同様に格納され、保存される。図示の例では一次トラッキングＩＤと関連付けて格納されているが、二次トラッキングＩＤが割り当てられた後は、これらの連結ＩＤと関連付けて格納される。例えば、中間処理が完了すると二次トラッキングＩＤが割り当てられるので、中間処理施設から最終処分場までの運搬中の計測データは、一次トラッキングＩＤと二次トラッキングＩＤとの連結からなる連結ＩＤに関連付けて格納される。
【００６０】
以下、図３〜図７のフロー図を参照し、本システムの処理の流れの一例を説明する。なお、図１に示した各構成要素の符号を用いる。
図３は、排出事業所による搬出依頼が行われた場合の処理フローを示す概略フロー図である。この処理フローでは、本システムの前提となる処理を行う。
・ステップ３０１：排出事業所端末３０が廃棄物管理サーバ１に対し搬出依頼データを送信する。これは、搬出希望日より十分に先立って行われる。搬出依頼データには、搬出対象である廃棄物の情報（種別、数量、性状等）、搬出希望日時、搬出先の中間処理施設等が含まれる。なお、これには一次電子マニフェスト登録に必要な情報が含まれるようにする。
【００６１】
・ステップ３０２：廃棄物管理サーバ１は、搬出依頼データを受信する。搬出依頼データの情報に基づいて、図２Ｂに示した搬出計画データ１２３のテーブルに新規レコードを登録し、必要な情報を格納する。
【００６２】
・ステップ３０３：廃棄物管理サーバ１は、搬出依頼に対応するように配車計画を決定し、その内容を含む配車依頼データを運搬車両基地端末２０に対し送信する。
【００６３】
・ステップ３０４：運搬車両基地端末２０は、配車依頼データを受信する。その後、その内容に基づいて調整等を行る。
・ステップ３０５：運搬車両基地端末２０は、依頼対象の廃棄物搬出のための配車予定情報を含む配車承認データを廃棄物管理サーバ１へ送信する。
【００６４】
・ステップ３０６：廃棄物管理サーバ１は、配車承認データを受信し、図２Ｂに示した配車データ１２４のテーブルに配車計画データを登録する。
【００６５】
・ステップ３０７：廃棄物管理サーバ１は、配車計画データに基づいて排出事業所端末３０に対して搬出依頼に回答する搬出予定データを送信し、一方、中間処理施設端末５０に対しては廃棄物の搬入予定を通知するため搬入予定データを送信する。
【００６６】
図４は、排出事業所から中間処理施設への廃棄物搬出に関する処理フローである。
・ステップ４０１：配車計画に従って運搬車両が排出事業所に到着し、対象とする廃棄物を運搬車両に積載する。廃棄物の性状調査等を行い、トラックスケール等により廃棄物の重量を計測する。この搬出作業の間、排出事業所に設置された映像記録装置を用いて廃棄物の積載、計測および出発等の状況を撮影する。重量等の計測データおよび映像データは、一時的に排出事業所端末３０の適宜の記憶装置に保存される。なお、別の実施形態として、排出事業所からの搬出時の状況は、運搬車両に備えられた映像記録装置を用いて撮影してもよい。
【００６７】
・ステップ４０２：運搬車両の作業者は廃棄物の種類、性状、数量等が予定通りであるかを確認する。確認後、車両搭載装置４０の通信機能を用いて廃棄物管理サーバ１に対して搬出完了を通知する搬出完了データを送信する。その後、予め設定された経路に従って中間処理施設へと向かう。
【００６８】
・ステップ４０３：廃棄物管理サーバ１は、車両搭載装置４０から搬出完了データを受信する。これに応じて、図２Ｃに示した廃棄物トラッキングデータ１３１のテーブルに新規レコードを登録し、この搬出された廃棄物に対して固有の一次トラッキングＩＤを割り当て保存する。併せて、搬出日時分のデータも記録する。さらに、図２Ｂの搬出計画データ１２３との連動により当該廃棄物に関連する種々の情報も廃棄物トラッキングデータ１３１に格納する。その後、必要な廃棄物関連情報を用いて作成した一次電子マニフェスト登録データを電子マニフェスト管理センターサーバ８０へ送信する。
【００６９】
・ステップ４０４：電子マニフェスト管理センターサーバ８０は、一次電子マニフェスト登録データを受信すると、所定の電子マニフェストの受付処理を実行し、当該廃棄物に対して一次マニフェスト番号を付与し、廃棄物管理サーバ１へ一次マニフェスト番号を通知するデータを送信する。
【００７０】
・ステップ４０５：廃棄物管理サーバ１は、一次マニフェスト番号を受信すると、廃棄物トラッキングデータ１３１のテーブルに登録する。
【００７１】
・ステップ４０６：一方、排出事業所から中間処理施設へ向かう運搬車両は、その途上、車両搭載装置４０であるデジタルタコグラフにより車両速度と移動距離の計測を行い、また、ＧＰＳ受信装置によりＧＰＳ衛星からの信号を受信し、緯度および経度の位置情報を計測する。いずれの計測も通常、所定時間間隔（例えば１０分毎）で行われ計測時点の日時分も同時に記録される。また、映像記録装置を用いて運行状況を撮影し、その映像データを取得する。これらの運行状況計測データは、一時的に車両搭載装置４０の備える記憶装置に保存される。
【００７２】
・ステップ４０７：運搬車両が中間処理施設に到着すると、トラックスケール等により廃棄物の重量を計測する。また、性状、受入数量等が予定通りであるかを確認する。この搬入作業の間、中間処理施設に設置された映像記録装置を用いて、運搬車両の到着、廃棄物の荷下ろし、計測等の状況を撮影する。重量等の計測データおよび映像データは、一時的に中間処理施設端末５０の適宜の記憶装置に保存される。
【００７３】
・ステップ４０８：中間処理施設端末５０は、搬入作業の完了後、廃棄物管理サーバ１に対して搬入完了を通知する搬入完了データを送信する。
【００７４】
・ステップ４０９：廃棄物管理サーバ１は、搬入完了データを受信すると、図２Ｃの廃棄物トラッキングデータ１３１のテーブルに搬入日時分のデータを記録する。さらに、廃棄物管理サーバ１は、電子マニフェスト管理センターサーバ８０に対し、当該廃棄物の一次電子マニフェストに関連して中間処理施設への受入完了を報告するデータを送信する。
【００７５】
・ステップ４１０：電子マニフェスト管理センターサーバ８０は、当該廃棄物の一次電子マニフェストに中間処理施設への受入完了を記録する。
【００７６】
・ステップ４１１：運搬車両は、車両基地に戻った後、運行状況計測データ（運行状況の映像データを含む）を廃棄物管理サーバ１へ送信する。この送信においては、車両搭載装置４０の記憶装置に一時的に記憶されたデータを、運搬車両基地端末２０に一旦転送し、運搬車両基地端末２０から廃棄物管理サーバ１へ送信することが好適である。なお、別の実施形態として、排出事業所からの搬出状況を運搬車両の映像記録装置を用いて撮影した場合は、搬出状況の映像データも含めて廃棄物管理サーバ１へ送信する。
【００７７】
・ステップ４１２：廃棄物管理サーバ１は、運行状況計測データを受信すると、当該廃棄物の一次トラッキングＩＤと関連付けて図２Ｃに示した搬出入位置情報イベントデータ１３２のテーブル等に保存する。なお、映像データについては、必要な部分を特定し切り出す等の編集作業を行った後、同様に保存する。
【００７８】
・ステップ４１３：排出事業所端末３０は、搬出後の適宜の時点で廃棄物管理サーバ１に対し、廃棄物の搬出時に撮影した映像データを送信する。
【００７９】
・ステップ４１４：中間処理施設端末５０は、搬入後の適宜の時点で廃棄物管理サーバ１に対し、廃棄物の搬入時に撮影した映像データを送信する。
【００８０】
・ステップ４１５：廃棄物管理サーバ１は、搬出時および搬入時の映像データから必要な部分を特定し切り出す等の編集作業を行った後、当該廃棄物の一次トラッキングＩＤと関連付けて保存する。
【００８１】
図５は、中間処理施設における中間処理に関する処理フローである。
・ステップ４０８：これは図４に示したステップ４０８と同じである。車両搭載装置４０の通信機能を用いて廃棄物管理サーバ１に対して搬入完了を通知する搬入完了データが送信される。
【００８２】
・ステップ５０１：廃棄物管理サーバ１は、中間処理施設への廃棄物の搬入完了データを受信すると、所定の時間を設定したタイマーを起動する。このタイマーの設定時間は、正常時において想定される中間処理に要する時間であり、経験値から設定される。これは、中間処理施設へ搬入された廃棄物に対して、直ちに所定の中間処理が開始されることを前提としている。中間処理施設において規定通りに処理が進行している場合には、この想定時間にさほど誤差は生じない。このように、中間処理施設端末５０から廃棄物管理サーバ１に対して中間処理開始の通知は行われないが、廃棄物管理サーバ１は中間処理が開始されたものとしてタイマーを起動する。このタイマー起動時間は、図２Ｃの廃棄物トラッキングデータ１３１のテーブルに中間処理開始の日時分として記録される。
【００８３】
・ステップ５０２：正常に業務が行われている場合は、実際に中間処理施設で当該廃棄物に対して中間処理が開始される。そして、その進行中に処理状況に関しする何らかの計測が行われ計測データが取得された場合は、その計測データを廃棄物管理サーバ１にリアルタイムで送信する。複数回計測された場合は、その都度計測データを送信する。また、中間処理の進行中、中間処理施設に備えられた映像記録装置を用いてその状況が撮影され、映像データが一時的に保存される。
【００８４】
・ステップ５０３：廃棄物管理サーバ１は、中間処理施設端末５０から処理中の計測データを受信することにより、処理が正常に進行中であると判断する。取得した計測データもまた当該廃棄物の一次トラッキングＩＤと関連付けて保存する。なお、何らかの事情により中間処理が停止された場合には、廃棄物管理サーバ１は、予め異常時のために定められた特別の処理を行う。
【００８５】
・ステップ５０４：所定の設定時間が経過してタイマーが終了すると、廃棄物管理サーバ１は中間処理が正常に完了したものと判断する。この場合も、中間処理施設端末５０から、中間処理完了の通知は行われない。このように、タイマーを利用することにより廃棄物管理サーバ１は、中間処理端末５０に負担を掛けることなく中間処理完了の判断を自動的に行う。
【００８６】
・ステップ５０５：その後、廃棄物管理サーバ１は、図２Ｃの廃棄物トラッキングデータ１３１のテーブルに中間処理完了の日時分を記録する。さらに、電子マニフェスト管理センターサーバ８０に対し、当該廃棄物の一次電子マニフェストに関連して中間処理完了を報告するデータを送信する。
【００８７】
・ステップ５０６：電子マニフェスト管理センターサーバ８０は、当該廃棄物の一次電子マニフェストに中間処理完了を記録する。
【００８８】
・ステップ５０７：一方、中間処理施設において実際に中間処理が正常に完了する。中間処理により発生した二次生成物の種別や性状が確認され、重量が計測される。中間処理施設端末５０は、二次生成物に関する情報および重量計測データを、処理中に撮影した映像データとともに廃棄物管理サーバ１へ送信する。
【００８９】
・ステップ５０８：廃棄物管理サーバ１は、二次生成物に関する情報等を受信すると、発生した二次生成物の種別に従って二次トラッキングＩＤを割り当て、既に割り当てられている一次トラッキングＩＤと関連付けて、図２Ｃの廃棄物トラッキングデータ１３１のテーブルに記録する。二次生成物が複数種である場合は、必要に応じてこのテーブルの行数を追加する。また、前述の方法に従い、二次生成物の生成比率を示す係数を用いて各二次生成物の二次数量を算出する。算出された二次数量は、それぞれ廃棄物トラッキングデータ１３１のテーブルの所定のセルに格納される。
【００９０】
図６は、中間処理施設からリサイクル物納品先への廃棄物（二次生成物）搬出に関する処理フローである。
・ステップ６０１：運搬車両が中間処理施設に到着し、対象とする廃棄物（この時点では二次生成物となっているので、以下「二次生成物」と称する）を運搬車両に積載する。二次生成物の性状調査等を行い、トラックスケール等により二次生成物の重量を計測する。この搬出作業の間、排出事業所に設置された映像記録装置を用いて二次生成物の積載、計測および出発等の状況を撮影する。重量等の計測データおよび映像データは、一時的に中間処理施設端末５０の適宜の記憶装置に保存される。
【００９１】
・ステップ６０２：運搬車両の作業者は二次生成物の種類、性状、数量等が予定通りであるかを確認する。確認後、車両搭載装置４０の通信機能を用いて廃棄物管理サーバ１に対して搬出完了を通知する搬出完了データを送信する。その後、予め設定された経路に従ってリサイクル物納品先へと向かう。
【００９２】
・ステップ６０３：廃棄物管理サーバ１は、車両搭載装置４０から搬出完了データを受信する。これに応じて、図２Ｃに示した廃棄物トラッキングデータ１３１のテーブルに、搬出日時分のデータを記録する。この時点において各二次生成物は、一次トラッキングＩＤおよび二次トラッキングＩＤにより識別されている。
【００９３】
・ステップ６０４：一方、中間処理施設からリサイクル物納品先へ向かう運搬車両は、その途上、車両搭載装置４０であるデジタルタコグラフにより車両速度と移動距離の計測を行い、また、ＧＰＳ受信装置によりＧＰＳ衛星からの信号を受信し、緯度および経度の位置情報を計測する。いずれの計測も通常、所定時間間隔（例えば１０分毎）で行われ計測時点の日時分も同時に記録される。また、映像記録装置を用いて運行状況を撮影し、その映像データを取得する。これらの運行状況計測データは、一時的に車両搭載装置４０の備える記憶装置に保存される。
【００９４】
・ステップ６０５：運搬車両がリサイクル物納品先に到着すると、トラックスケール等により二次生成物の重量を計測する。また、性状、受入数量等が予定通りであるかを確認する。必須ではないが、この搬入作業の間、リサイクル物納品先に設置された映像記録装置を用いて、運搬車両の到着、二次生成物の荷下ろし、計測等の状況を撮影することが好適である。重量等の計測データおよび映像データは、一時的にリサイクル物納品先端末６０の適宜の記憶装置に保存される。なお、別の実施形態として、リサイクル物納品先への搬入時の状況は、運搬車両に備えられた映像記録装置を用いて撮影してもよい。
【００９５】
・ステップ６０６：運搬車両の作業者は、搬入作業の完了後、車両搭載装置４０の通信機能を用いて廃棄物管理サーバ１に対して搬入完了を通知する搬入完了データを送信する。
【００９６】
・ステップ６０７：廃棄物管理サーバ１は、搬入完了データを受信すると、図２Ｃの廃棄物トラッキングデータのテーブルに搬入日時分のデータを記録する。
【００９７】
・ステップ６０８：運搬車両は、車両基地に戻った後、運行状況計測データ（運行状況の映像データを含む）を廃棄物管理サーバ１へ送信する。この送信においては、車両搭載装置４０の記憶装置に一時的に記憶されたデータを、運搬車両基地端末２０に一旦転送し、運搬車両基地端末２０から廃棄物管理サーバ１へ送信することが好適である。なお、別の実施形態として、リサイクル物納品先への搬入状況を運搬車両の映像記録装置を用いて撮影した場合は、搬入状況の映像データも含めて廃棄物管理サーバ１へ送信する。
【００９８】
・ステップ６０９：廃棄物管理サーバ１は、運行状況計測データを受信すると、当該廃棄物の一次トラッキングＩＤおよび二次トラッキングＩＤと関連付けて図２Ｃに示した搬出入位置情報イベントデータ１３２のテーブル等に保存する。なお、映像データについては、必要な部分を特定し切り出す等の編集作業を行った後、同様に保存する。
【００９９】
・ステップ６１０：中間処理施設端末５０は、搬出後の適宜の時点で廃棄物管理サーバ１に対し、二次生成物の搬出時に撮影した映像データを送信する。
【０１００】
・ステップ６１１：リサイクル物納品先端末６０は、搬入後の適宜の時点で廃棄物管理サーバ１に対し、廃棄物の搬入時に撮影した映像データを送信する（撮影を行った場合のみ）。
【０１０１】
・ステップ６１２：廃棄物管理サーバ１は、搬出時および搬入時の映像データから必要な部分を特定し切り出す等の編集作業を行った後、当該廃棄物の一次トラッキングＩＤおよび二次トラッキングＩＤと関連付けて保存する。
【０１０２】
図７は、中間処理施設から最終処分場への二次生成物搬出および最終処分場における最終処分に関する処理フローである。
・ステップ７０１：運搬車両が排出事業所に到着し、対象とする二次生成物を運搬車両に積載する。二次生成物の性状調査等を行い、トラックスケール等により二次生成物の重量を計測する。この搬出作業の間、排出事業所に設置された映像記録装置を用いて二次生成物の積載、計測および出発等の状況を撮影する。重量等の計測データおよび映像データは、一時的に中間処理施設端末５０の適宜の記憶装置に保存される。
【０１０３】
・ステップ７０２：運搬車両の作業者は二次生成物の種類、性状、数量等が予定通りであるかを確認する。確認後、車両搭載装置４０の通信機能を用いて廃棄物管理サーバ１に対して搬出完了を通知する搬出完了データを送信する。その後、予め設定された経路に従って最終処分場へと向かう。
【０１０４】
・ステップ７０３：廃棄物管理サーバ１は、車両搭載装置４０から搬出完了データを受信する。これに応じて、図２Ｃの廃棄物トラッキングデータ１３１のテーブルに搬出日時分のデータを記録する。この時点において各二次生成物は、一次トラッキングＩＤおよび二次トラッキングＩＤにより識別されている。その後、必要な二次生成物関連情報を用いて作成した二次電子マニフェスト登録データを電子マニフェスト管理センターサーバ８０へ送信する。
【０１０５】
・ステップ７０４：電子マニフェスト管理センターサーバ８０は、二次電子マニフェスト登録データを受信すると、所定の二次電子マニフェストの受付処理を実行し、当該二次生成物に対して二次マニフェスト番号を付与し、廃棄物管理サーバ１へ二次マニフェスト番号を通知するデータを送信する。
【０１０６】
・ステップ７０５：廃棄物管理サーバ１は、二次マニフェスト番号を受信すると、廃棄物トラッキングデータ１３１のテーブルに登録する。
【０１０７】
・ステップ７０６：一方、中間処理施設から最終処分場へ向かう運搬車両は、その途上、車両搭載装置４０であるデジタルタコグラフにより車両速度と移動距離の計測を行い、また、ＧＰＳ受信装置によりＧＰＳ衛星からの信号を受信し、緯度および経度の位置情報を計測する。いずれの計測も通常、所定時間間隔（例えば１０分毎）で行われ計測時点の日時分も同時に記録される。また、映像記録装置を用いて運行状況を撮影し、その映像データを取得する。これらの運行状況計測データは、一時的に車両搭載装置４０の備える記憶装置に保存される。
【０１０８】
・ステップ７０７：運搬車両が最終処分場に到着すると、トラックスケール等により二次生成物の重量を計測する。また、性状、受入数量等が予定通りであるかを確認する。この搬入作業の間、最終処分場に設置された映像記録装置を用いて、運搬車両の到着、二次生成物の荷下ろし、計測等の状況を撮影する。重量等の計測データおよび映像データは、一時的に最終処分場端末７０の適宜の記憶装置に保存される。
【０１０９】
・ステップ７０８：最終処分場端末７０は、搬入作業の完了後、廃棄物管理サーバ１に対して、最終処分完了を通知する最終処分完了データを送信する。このとき、最終処分に関するデータ、例えば、最終処分が埋め立ての場合は埋め立てエリア情報等があればそれらのデータを含めて送信する。
【０１１０】
・ステップ７０９：廃棄物管理サーバ１は、最終処分完了データを受信すると、図２Ｃの廃棄物トラッキングデータ１３１のテーブルに最終処分場への搬入日時分のデータを記録し、最終処分フラグをオンとする。このように、廃棄物管理サーバ１は、最終処分場への搬入完了をもって最終処分の完了とみなす。さらに、廃棄物管理サーバ１は、電子マニフェスト管理センターサーバ８０に対し、当該二次生成物の二次電子マニフェスト（当該廃棄物の一次マニフェストについても同様）に関連して最終処分完了を報告するデータを送信する。
【０１１１】
・ステップ７１０：電子マニフェスト管理センターサーバ８０は、当該二次生成物の二次電子マニフェスト（当該廃棄物の一次マニフェストについても同様）に最終処分完了を記録する。
【０１１２】
・ステップ７１１：一方、最終処分場では、実際に二次生成物の最終処分（埋め立て等）が実行される。その状況は映像記録装置を用いて撮影される。最終処分状況の映像データは、一時的に最終処分場端末７０の適宜の記憶装置に保存される。
【０１１３】
・ステップ７１２：運搬車両は、車両基地に戻った後、運行状況計測データ（運行状況の映像データを含む）を廃棄物管理サーバ１へ送信する。この送信においては、車両搭載装置４０の記憶装置に一時的に記憶されたデータを、運搬車両基地端末２０に一旦転送し、運搬車両基地端末２０から廃棄物管理サーバ１へ送信することが好適である。
【０１１４】
・ステップ７１３：廃棄物管理サーバ１は、運行状況計測データを受信すると、当該二次生成物の一次トラッキングＩＤおよび二次トラッキングＩＤと関連付けて図２Ｃに示した搬出入位置情報イベントデータ１３２のテーブル等に保存する。なお、映像データについては、必要な部分を特定し切り出す等の編集作業を行った後、同様に保存する。
【０１１５】
・ステップ７１４：中間処理施設端末５０は、二次生成物の搬出完了後の適宜の時点で廃棄物管理サーバ１に対し、二次生成物の搬出時に撮影した映像データを送信する。
【０１１６】
・ステップ７１５：最終処分場端末７０は、最終処分完了後の適宜の時点で廃棄物管理サーバ１に対し、二次生成物の搬入時並びに最終処分時に撮影した映像データを送信する。
【０１１７】
・ステップ７１６：廃棄物管理サーバ１は、搬出時、搬入時および最終処分時の映像データから必要な部分を特定し切り出す等の編集作業を行った後、当該二次生成物の一次トラッキングＩＤおよび二次トラッキングＩＤと関連付けて保存する。
【図面の簡単な説明】
【０１１８】
【図１】本発明による廃棄物管理システムの概略構成図である。
【図２Ａ】図１に示したマスタデータ登録処理部により管理される主要なテーブルの一例を示している。
【図２Ｂ】図１に示した契約データ登録処理部により管理される主要なテーブルの一例を示している。
【図２Ｃ】図１に示したトラッキングデータ処理部により管理される主要なテーブルの一例を示している。
【図３】図３は、排出事業所による搬出依頼が行われた場合の処理フローを示す概略フロー図である。
【図４】排出事業所から中間処理施設への廃棄物搬出に関する処理フローである。
【図５】中間処理施設における中間処理に関する処理フローである。
【図６】中間処理施設からリサイクル物納品先への廃棄物（二次生成物）搬出に関する処理フローである。
【図７】中間処理施設から最終処分場への二次生成物搬出および最終処分場における最終処分に関する処理フローである。
【符号の説明】
【０１１９】
１  廃棄物管理サーバ
１１  マスタデータ登録処理部
１２  契約データ登録処理部
１３  トラッキングデータ処理部
１５  映像データサーバ
１６  ウェブサーバ
１７  電子マニフェスト連動処理部
１００  廃棄物管理データベース
２０  運搬車両基地端末
３０  排出事業所端末
４０  車両搭載装置
５０  中間処理施設端末
６０  リサイクル物納品先端末
７０  最終処分場端末
８０  電子マニフェスト管理センターサーバ
【図１】
2006318468.tif 000003
【図２Ａ】
2006318468.tif 000004
【図２Ｂ】
2006318468.tif 000005
【図２Ｃ】
2006318468.tif 000006
【図３】
2006318468.tif 000007
【図４】
2006318468.tif 000008
【図５】
2006318468.tif 000009
【図６】
2006318468.tif 000010
【図７】
2006318468.tif 000011